(57)【要約】      （修正有）【課題】橋梁の吊りピ−ス部と、チェ−ンとの間に介装される足場用吊り具１で、吊りピ−ス部に係合できるフック部１００と、吊り具１の外れ止め部１０１と、フック部に連設された掛止本体部１０２と、チェ−ン弛み防止本体部１０３０とネジ部１０３１と縒り戻し部１０３２とを備えネジ部と縒り戻し部とは離隔されたチェ−ン弛み防止本体部を回転上昇させ、チェ−ンの弛みを取れるチェ−ン弛み防止部１０３と、チェ−ン弛み防止部に連設された支持本体部１０４と、安全帯掛け部１０５と、チェ−ン係合部１０６とを備えてなる橋梁の足場用吊り具１。【解決手段】橋梁の吊りピ−ス部にフック部を係合させるためクリップ方式やチェ−ン方式に比べて短時間に取付でき、外れ止め部により吊り具が外れずに安全に使用でき、チェ−ン弛み防止部が設けられているのでチェ−ンの弛みを取ることができ、安全帯掛け部により作業者が安全に使用できる。【選択図】図１
0003144658.tif 000002
【実用新案登録請求の範囲】
【請求項１】
橋梁の吊りピ−ス部と足場を吊り下げしている索状との間に介装される橋梁の足場用吊り具であって、前記吊りピ−ス部に係合できるフック部と当該吊り具の外れ止め部と当該フック部に連設された掛止本体部と索状弛み防止部と当該索状弛み防止部に連設された支持本体部と索状係合部とを備えてなることを特徴とする橋梁の足場用吊り具。
【請求項２】
更に、安全帯掛け部を備えてなることを特徴とする、請求項１に記載の橋梁の足場用吊り具。
【請求項３】
外れ止め部が、外れ止め本体部とバネ部とを有してなり、当該外れ止め本体部が回動し、当該バネ部のバネ作用により元の位置に戻ることにより、当該吊り具が吊りピ−ス部から外れないようにされてなることを特徴とする、請求項１又は２に記載の橋梁の足場用吊り具。
【請求項４】
索状が、チェ−ンにより構成され、索状弛み防止部が、チェ−ン弛み防止本体部とネジ部と縒り戻し部とを備えてなり、当該ネジ部と当該縒り戻し部とは離隔されて設けられており、当該チェ−ン弛み防止本体部を回転させ上昇させることにより、チェ−ンの弛みを取ることができるようにしてなることを特徴とする、請求項１、２又は３に記載の橋梁の足場用吊り具。
【考案の詳細な説明】
【技術分野】
【０００１】
本考案は、橋梁の足場用吊り具に関し、特に、橋梁の吊りピ−ス部と、足場を吊り下げしている索状との間に介装される橋梁のメンテナンス塗装工事用の足場吊り具に関するものである。
【背景技術】
【０００２】
橋梁のメンテナンス上、その塗装工事が行われ、その作業の為に足場が構築されることがある。
当該塗装足場の一例として、例えば、図１３に示すように、橋梁１３００に中段足場３００１を構築し、又、その下部に主体足場１３０２等を構築したりすることが行われている。当該塗装足場は、図示していないが、橋梁の側面にも構築されることがある。
当該足場の構築に、例えば、図１２に示すようなクリップ１２００で梁１２０１を挟持し、ネジ１２０２を回動させて、当該クリップ１２００を梁１２０１に固定させ、当該クリップ１２００の掛止部１２０３にチエ−ン１２０４を掛止させ、足場板（床版）等からなる足場を当該チエ−ン１２０４にて吊下げして前記のような塗装足場を構築することが行われている。
しかるに、当該クリップ１２００による足場の構築は、当該ネジ１２０２を回動させる必要があったりして、当該クリップの取付や足場の構築に多大の時間を要したり、又、当該クリップ１２００が梁１２０１に当接する箇所は、塗装残りとなる等の欠点があった。
又、当該足場の構築に、チェ−ンを用いた方式もあり、特開２００１−１２３６５６号公報には、例えば、図１１に示すように、両端にフック１１００，１１０１を設けてなるチェ−ン１１０２の一方側を、梁１１０３に巻き付け、他方側を足場を構成するパイプ１１０４に巻き付け、両端のフック１１００，１１０１をそれぞれチェ−ン１１０２に係合させてなるチェ−ン方式が記載されている。尚、当該図１１における符号１１０５は、後述のような当該チェ−ンの弛み取り装置である。
しかるに、当該チェ−ン方式は、チェ−ン１１０２の梁１１０３への巻き付け等で、上記のクリップ方式と同様に、その取付が面倒で且つその取付に多大の時間を要する等という欠点があった。
当該塗装足場では、橋梁等の大型構造物に使用されるので、当該クリップやチェ−ンを取付けようとする場合、その取付の個数は半端な数ではなく、その取付は数百ｍにも及び、又、数百個数にも及ぶ場合があるので、上記のような従来例のクリップ方式やチェ−ン方式では、とても、時間が掛かり過ぎ、それだけ、足場の構築にも多大の時間を要することになる。
一方、当該足場の構築に際し、例えば、図１０に示すように、吊り材１０００の折り返し部１００１の嵌挿片１００２を、梁１００３のフランジ１００４の孔１００５に係止させる態様もある（特開平１１−１５９１２７号公報）。
又、図９に示すように、吊り金具９００の係止部材９０１のフック状の係止部９０１０を、梁９０２のボルト孔９０２０に嵌め込み、当該吊り金具９００を梁９０２に係止させる態様もある（特開２００１−２５４５０９号公報）。
更には、パイプの支持ではあるが、図８に示すように、パイプ支持具８００のフック８０１を建築物壁面８０２のアイボルト８０３と係合させる態様もある（実開昭５３−１２２０２６号公報）。
しかしながら、上記の図１０に示すような折り返し部１０００や図９に示すようなフック状の係止部９０１０や図８に示すようなフック８０１による係合では、その係合が解け易く、足場の安全上問題がある。
ところで、上記の図８、図９及び図１１に示すような当該足場の構築に用いられる吊り金具等では、その使用上、例えば、図８に示す態様では、図示のように、パイプ支持具８００にタ−ンバックルネジ８０４を設け、当該タ−ンバックルネジ８０４を回動させることにより、建築物壁面８０２のアイボルト８０３と係合したフック８０１とパイプ８０５に嵌装した螺旋フック８０６との間の距離を伸縮させることができるようにしてある。即ち、図示のように、当該パイプ支持具８００での当該距離の伸縮は、タ−ンバックル方式で、腕桿８０７にネジ８０７０を刻設し、又、他方の腕桿８０８にもネジ８０８０を刻設し、これらネジ８０７０及びネジ８０８０を正逆回転方向の異なるネジにより構成して、タ−ンバックルネジ８０４を回動させることにより、当該距離の伸縮（調節）を図っている。
又、図９に示す態様では、吊り金具９００にバックル９０３を設けて、当該吊り金具９００の係止部材９０１と足場板９０４を支持している支持部材９０５との間隔を調整するようにしている。図示のように、当該吊り金具９００でも、係止部材９０１の端部には、ネジ９０１１を刻設し、又、支持部材９０５の端部にも、ネジ９０５０を刻設し、これらネジ９０１１及びネジ９０５０を、前記の図８の態様と同様に、正逆回転方向の異なるネジにより構成して、バックル９０３を回動させることにより、当該係止部材９０１と足場板９０４を支持している支持部材９０５との間隔の調整を図っている。
更に、図１１に示す態様では、梁１１０３に巻き付けられたチェ−ン１１０２に、図示のようなチェ−ンの弛み止め装置１１０５の両端のフック１１０６，１１０７を係合させ、当該チェ−ンの弛み止め装置１１０５のタ−ンバックルからなる調整手段１１０８により、当該チェ−ン１１０２の弛みを除去するようになっている。当該チェ−ンの弛み止め装置１１０５の調整手段１１０８は、タ−ンバックルからなっており、上側本体部材１１０９及び下側本体部材１１１０には、それぞれネジ棒１１１１及びネジ棒１１１２が設けられている。図示のように、当該チェ−ンの弛み止め装置１１０５のタ−ンバックルからなる調整手段１１０８は、正逆回転方向の異なるネジ棒１１１１及びネジ棒１１１２により構成され、当該タ−ンバックル１１０８を回転させることにより、当該チェ−ン１１０２の弛みを除去するようになっている。
しかるに、当該図８、図９及び図１１に示すような当該足場の構築に用いられる吊り金具におけるような当該タ−ンバックル方式の正逆２つのネジ回転では、例えば、図８では、タ−ンバックルネジ８０４を回動させると、腕桿８０７と他方の腕桿８０８とが共に回転してしまい、又、図９では、バックル９０３を回動させると、係止部材９０１と支持部材９０５とが共に回転してしまい、更には、図１１に示すようなチェ−ンの弛み止め装置１１０５では、タ−ンバックル１１０８を回転させると、上側本体部材１１０９及び下側本体部材１１１０が共に回転してしまい、両者間で干渉が起こり、結果的に、例えば、当該図１１に示すようなチェ−ンの弛み止め装置１１０５では、チェ−ンへの装着作業に手間取る等という問題がある。
当該塗装足場では、これらの問題の他に、安全面での考慮が必要で、手すり等が設置されていて安全面には各種の考慮がなされているが、一般的には、比較的に高所の不安定な場所で、足場が揺れたりする場所で作業をしており、より一層の安全への配慮が求められている。
【特許文献１】特開２００１−１２３６５６号公報、実開昭５３−１２２０２６号公報、特開２００１−２５４５０９号公報、特開平１１−１５９１２７号公報
【考案の開示】
【考案が解決しようとする課題】
【０００３】
本考案は、上記のような従来技術の欠点を解消しつう、新規の安全等の面を一層配慮した技術を提供することを目的としたものである。
本考案の他の目的および新規な特徴は以下の明細書及び図面の記載からも明らかになるであろう。
【課題を解決するための手段】
【０００４】
本考案の実用新案登録請求の範囲は、次の通りである。
（請求項１）  橋梁の吊りピ−ス部と足場を吊り下げしている索状との間に介装される橋梁の足場用吊り具であって、前記吊りピ−ス部に係合できるフック部と当該吊り具の外れ止め部と当該フック部に連設された掛止本体部と索状弛み防止部と当該索状弛み防止部に連設された支持本体部と索状係合部とを備えてなることを特徴とする橋梁の足場用吊り具。
（請求項２）  更に、安全帯掛け部を備えてなることを特徴とする、請求項１に記載の橋梁の足場用吊り具。
（請求項３）外れ止め部が、外れ止め本体部とバネ部とを有してなり、当該外れ止め本体部が回動し、当該バネ部のバネ作用により元の位置に戻ることにより、当該吊り具が吊りピ−ス部から外れないようにされてなることを特徴とする、請求項１又は２に記載の橋梁の足場用吊り具。
（請求項４）  索状が、チェ−ンにより構成され、索状弛み防止部が、チェ−ン弛み防止本体部とネジ部と縒り戻し部とを備えてなり、当該ネジ部と当該縒り戻し部とは離隔されて設けられており、当該チェ−ン弛み防止本体部を回転させ上昇させることにより、チェ−ンの弛みを取ることができるようにしてなることを特徴とする、請求項１、２又は３に記載の橋梁の足場用吊り具。
【考案の効果】
【０００５】
本願において開示される考案のうち代表的なものによって得られる効果を簡単に説明すれば、下記のとおりである。
すなわち、本考案によれば、特に、次のような利点がある。
（請求項１）本考案の橋梁の足場用吊り具は、橋梁の吊りピ−ス部と足場を吊り下げしている索状との間に介装され、前記吊りピ−ス部に係合できるフック部と当該吊り具の外れ止め部と当該フック部に連設された掛止本体部と索状弛み防止部と当該索状弛み防止部に連設された支持本体部と索状係合部とを備えてなる。
本考案の吊り具は、従来例とは異なり、梁のフランジの孔に係止させるとか、梁のボルト孔に嵌め込むのはなく、橋梁の吊りピ−ス部に注目し、当該吊りピ−ス部に上記フック部を係合させるようにする。
足場の構築に際して、吊り具を梁などに係合させるのに、クリップ方式やチェ−ン方式があるが、当該クリップやチェ−ンの取付の個数は数百個にも及ぶ場合があり、クリップ方式でネジを締めたりして係合させるのは、その取付に多大の時間を要するという欠点があり、又、チェ−ンを梁に巻き付け係合させてなるチェ−ン方式でも、同様にその取付に多大の時間を要するという欠点があったが、本考案のようなフック方式によれば、迅速に係合させることができ、特に、本考案では、吊りピ−ス部に引っ掛けて行けばよいので、短時間に取付でき、足場を短時間で構築できる。
本考案の吊り具は、橋梁の吊りピ−ス部に注目し、当該吊りピ−ス部に上記フック部を係合させるようにするので、当該吊り具が吊りピ−ス部の孔から外れないようにする為に、外れ止め部を設け、吊り具を安全に使用できるようにしている。
本考案の吊り具には、索状弛み防止部が設けられている。
足場を構築する際に、索状例えばチェ−ンにより、足場板を支持する多数の水平パイプの各端部を吊り下げているが、全ての当該パイプが弛み無く張設されているわけではなく、作業足場を仮設中又は仮設後に当該チェ−ンの中に弛みが生じていることが検査などにより見出される場合がある。本考案の吊り具では、索状弛み防止部特にチェ−ン弛み防止部が設けられているので、チェ−ンの弛みを取ることができる。
（請求項２）  本考案の橋梁の足場用吊り具は、上記の構成と共に、更に、安全帯掛け部を備えてなる
当該安全帯掛け部には、人の安全帯を掛けることができる。当該安全帯は、通常、作業者の腰から引き出されており、作業者が載った例えば塗装足場が一般的に比較的に高所の不安定な場所で足場が揺れたりする場所であっても、倒れたりすることを回避し、又、仮に、当該足場が壊れても、下への落下を防いだりすることができ、安全面により一層配慮することができる。
（請求項３）本考案の橋梁の足場用吊り具における外れ止め部は、外れ止め本体部とバネ部とを有してなり、当該外れ止め本体部が回動し、当該バネ部のバネ作用により元の位置に戻ることにより、当該吊り具が吊りピ−ス部から外れないようにされてなる。
（請求項４）  本考案の橋梁の足場用吊り具における索状は、好ましくは、チェ−ンにより構成され、その索状弛み防止部（チェ−ン弛み防止部）が、チェ−ン弛み防止本体部とネジ部と縒り戻し部とを備えてなり、当該ネジ部と当該縒り戻し部とは離隔されて設けられており、当該チェ−ン弛み防止本体部を回転させ上昇させることにより、チェ−ンの弛みを取ることができるようにしてなる。
本考案の吊り具におけるチェ−ン弛み防止部では、ネジ部と縒り戻し部とは離隔されて設けられており、従来例のタ−ンバックルのように正逆のネジを構成していないので、当該ネジ部と縒り戻し部とが共に回転することはないようになっており、チェ−ン弛み防止本体部を回転させると、当該チェ−ン弛み防止本体部が上昇し、チェ−ン係合部に係合されたチェ−ンが、当該当該チェ−ン弛み防止本体部の上昇と共に、上昇し、その際に、支持本体部が捻れても、縒り（より）戻し部により、縒り戻され、延いては、チェ−ン係合部に係合されたチェ−ンの捻れを縒り戻すことができるようになっている。
【０００６】
次に、本考案の実施例を図面を参照しつつ説明する。
【実施例】
【０００７】
図１に示すように、本考案の吊り具１は、フック部１００と外れ止め部１０１と掛止本体部１０２とチェ−ン弛み防止部１０３と支持本体部１０４と安全帯掛け部１０５とチェ−ン係合部１０６とを備えてなる。
本考案の吊り具１は、図４に示すように、橋梁の吊りピ−ス部２に上記フック部１００を係合させる。
本考案の吊り具１は、上記の従来例とは異なり、梁のフランジの孔に係止させるとか、梁のボルト孔に嵌め込のではなく、橋梁の吊りピ−ス部２に注目し、当該吊りピ−ス部２に上記フック部１００を係合させるようにする。
当該吊りピ−ス部２は、図７に示すように、橋梁構造物の表面に取付されている。橋梁構造物のメンテナンスの上から設けられているが、ワイヤ−ロ−プの引っ掛け用に構造物の表面に仮に取付しておき、クレ−ンにより吊って運搬操作後に、通常は、ガス切断などで除去する仮止め金具を用いることもできる。
前述のように、吊り具を梁などに係合させるのに、クリップ方式でネジを締めたりして係合させるのは、その取付に多大の時間を要するという欠点があり、又、チェ−ンを梁に巻き付け係合させてなるチェ−ン方式でも、同様にその取付に多大の時間を要するという欠点があるが、当該フック方式によれば、迅速に係合させることができる。
前述のように、足場の構築に際して、当該クリップやチェ−ンの取付の個数は数百個にも及ぶ場合があり、フック方式で、吊りピ−ス部２に引っ掛けて行けばよいので、短時間に取付でき、足場の構築が短時間でできる。当該吊りピ−ス部２は、橋梁の梁などの表面に適宜間隔で複数並設されている。
又、特に、本考案の吊り具１は、上記のような仮止め金具を橋梁の吊りピ−ス部２として利用できる。
当該吊りピ−ス部２は、図７に示すように、その吊りピ−ス部本体２００に適宜個数（当該実施例では２個）の孔２０１が孔設されており、当該孔２０１に吊り具１のフック部１００を係合させればよい。
従来、当該吊りピ−ス部２の吊りピ−ス部本体２００の孔２０１に、チェ−ンを通して吊り具を係合させることも行われていたが、孔２０１に、チェ−ンを通して吊り具を係合させることは、時間が掛かり、足場の構築に要する時間が長期化する。
【０００８】
本考案の吊り具１は、当該吊り具１が吊りピ−ス部２の孔２０１から外れないように、外れ止め部１０１が設けてある。
当該外れ止め部１０１は、図３に示すように、その外れ止め本体部１０１０の一端部がフック部１００（掛止本体部１０２でも可）に軸支され、バネ部１０１１が設けられ、当該外れ止め本体部１０１０が、その軸支された一端部を中心として、矢標のように回動するようになっており、当該吊り具１のフック部１００を吊りピ−ス部２の孔２０１に係合させる際には、当該外れ止め本体部１０１０が当該フック部１００の内側に押圧され、当該バネ部１０１１のバネ作用により元の位置に戻り、当該吊り具１が吊りピ−ス部２の孔２０１から外れないようになされる。
一方、当該フック部１００を吊りピ−ス部２の孔２０１から取り外すときには、当該外れ止め本体部１０１０をフック部１００の内側に押圧して、吊り具１のフック部１００を吊りピ−ス部２の孔２０１から外せばよい。外した後は、バネ部１０１１のバネ作用により、当該外れ止め本体部１０１０は元の状態に戻る。
本考案の吊り具１は、フック部１００の取付けも簡単で且つその取外しも簡単迅速にできる。
【０００９】
本考案の吊り具１におけるチェ−ン弛み防止部１０３におけるそのチェ−ン弛み防止本体部１０３０は、図示のように、例えば、六角形により構成されている。当該チェ−ン弛み防止本体部１０３０の上内部には、ネジ部１０３１が刻設され、当該ネジ部１０３１は、掛止本体部１０２の一端部（下端部）に刻設されている。当該チェ−ン弛み防止本体部１０３０を回転させ、上昇させると、チェ−ンの弛みを取ることができる。
当該当該チェ−ン弛み防止本体部１０３０の下内部には、縒り戻し部１０３２を設ける。当該縒り戻し部１０３２は、上記のネジ部１０３１とは分離離隔されて、支持本体部１０４の上端部に設けられている。上記のチェ−ン弛み防止本体部１０３０を回転させても、タ−ンバックルのように正逆のネジを構成していないので、これらネジ部１０３１と縒り戻し部１０３２とが共に回転することはない。
【００１０】
本考案の吊り具１は、チェ−ン係合部１０６を備えてなる。例えば、図示のように、リング状の閉じた形態になっており、当該チェ−ン係合部１０６には、図４に示すように、チェ−ン３が係合されている。
当該チェ−ン３は、足場板を支持する多数の水平パイプの各端部を吊り下げているが、全ての当該パイプが弛み無く張設されているわけではなく、作業足場を仮設中又は仮設後に当該チェ−ンの中に弛みが生じているものが検査などにより見出される場合があり、前記のような、タ−ンバックル方式の正逆２つのネジ回転を備えた当該チェ−ン自体に装着する弛み止め装置等が提案されている。
本考案の吊り具１では、チェ−ン弛み防止本体部１０３０を回転させると、当該チェ−ン弛み防止本体部１０３０が上昇し、チェ−ン係合部１０６に係合されたチェ−ン３が、当該当該チェ−ン弛み防止本体部１０３０の上昇と共に、上昇し、その際に、支持本体部１０４が捻れても、縒り（より）戻し部１０３２により、縒り戻され、延いては、チェ−ン係合部１０６に係合されたチェ−ン３の捻れを縒り戻すことができるようになっている。
【００１１】
本考案では、図２に示すように、安全帯掛け部１０５の無い吊り具１であってもよいが、図１に示すように、当該安全帯掛け部１０５を備えていることが好ましい。
図５に示すように、当該安全帯掛け部１０５に、安全帯４を掛ける。当該安全帯４は、例えば作業者の腰から引き出されており、作業者が載った例えば塗装足場が一般的に比較的に高所の不安定な場所で足場が揺れたりする場所であっても、倒れたりすることを回避し、又、仮に、当該足場が壊れても、下への落下を防いだりすることができ、安全面のより一層の配慮が可能である。
【００１２】
本考案の吊り具１は、図４及び図５に示すように、吊りピ−ス部２とチェ−ン３との間を媒介し、これら吊りピ−ス部２とチェ−ン３との間に介装できる。
【００１３】
本考案では、図６に示すように、当該吊り具１の全体の長さを短くするなど各種の寸法、大きさなどのものを選択することができる。
又、前記の例では、チェ−ン弛み防止本体部１０３０の上内部のみにネジ部１０３１が刻設されている例を示したが、図６に示すように、当該チェ−ン弛み防止本体部１０３０の外部の掛止本体部１０２にもネジ部１０３１を延在させてもよい。
【００１４】
本考案は上記実施例に限定されず、適宜変更が可能である。
例えば、前記実施例では、チェ−ン３を係合させる例を示したが、当該チェ−ンに代えて、ワイヤ、ロ−プ等の索状であってもよい。
又、縒り（より）戻し部１０３２は、縒り戻しの機能を備えていれば、これに代わるものでもよい。
【産業上の利用可能性】
【００１５】
本考案は、橋梁の塗装工事足場の他、各種の大型建造物の足場にも適用できる。
【図面の簡単な説明】
【００１６】
【図１】本考案の実施例を示す吊り具の一例構成図である。
【図２】本考案の他の実施例を示す吊り具の一例構成図である。
【図３】本考案の実施例を示す吊り具の要部構成図である。
【図４】本考案の吊り具の使用例を示す一例説明図である。
【図５】本考案の吊り具の安全帯使用例を示す一例説明図である。
【図６】本考案の他の実施例を示す吊り具の一例構成図である。
【図７】本考案に使用される吊りピ−スの実施例の一例構成図である。
【図８】従来例の吊り具の構成図である。
【図９】従来例の吊り具の構成図である。
【図１０】従来例の吊り具の要部構成図である。
【図１１】従来例の吊り具の構成図である。
【図１２】従来例の吊り具の構成図である。
【図１３】足場の説明図である。
【符号の説明】
【００１７】
１…吊り具
２…吊りピ−ス部
３…チェ−ン
１００…フック部
１０１…外れ止め部
１０２…掛止本体部
１０３…チェ−ン弛み防止部
１０４…支持本体部
１０５…安全帯掛け部
１０６…チェ−ン係合部
１０３０…チェ−ン弛み防止本体部
１０３１…ネジ部
１０３２…縒り（より）戻し部
【図１】
0003144658.tif 000003
【図２】
0003144658.tif 000004
【図３】
0003144658.tif 000005
【図４】
0003144658.tif 000006
【図５】
0003144658.tif 000007
【図６】
0003144658.tif 000008
【図７】
0003144658.tif 000009
【図８】
0003144658.tif 000010
【図９】
0003144658.tif 000011
【図１０】
0003144658.tif 000012
【図１１】
0003144658.tif 000013
【図１２】
0003144658.tif 000014
【図１３】
0003144658.tif 000015